(57)【要約】【課題】機構部材裏面の遊技機構成部品に邪魔されることなく、遊技球を遊技機裏面側へ排出し易くする。【解決手段】遊技枠体の裏面側に設けられて遊技球を流下させる流下樋２１１を有する機構部材Ｋを備え、流下樋２１１の裏面側には流下樋２１１の少なくとも一部を覆うように遊技機構成部品１８８を設け、流下樋２１１の遊技機構成部品１８８で覆われた部分は、機構部材Ｋの遊技枠体に対する取付面との距離を遊技球１球分未満とすると共に、遊技機の厚み方向に遊技球１球分以上屈曲することなく形成し、流下樋２１１の遊技機構成部品１８８で覆われた部分より下方には、流下樋２１１を流下した遊技球を遊技機裏面外方へ排出可能な排出口２１７を弾球遊技機裏面側へ屈曲して形成した。【選択図】図６
2007202616.tif 000002
【特許請求の範囲】
【請求項１】
前面に遊技領域を有する遊技盤と、
前記遊技盤を収納する遊技枠体と、
前記遊技枠体の裏面側に設けられて遊技球を流下させる流下樋を有する機構部材と、
を備えた弾球遊技機において、
前記流下樋の裏面側には前記流下樋の少なくとも一部を覆うように遊技機構成部品が設けられ、
前記流下樋の前記遊技機構成部品で覆われた部分は、前記機構部材の前記遊技枠体に対する取付面との距離が遊技球１球分未満とされると共に、前記弾球遊技機の厚み方向に遊技球１球分以上屈曲することなく形成されており、
前記流下樋の前記遊技機構成部品で覆われた部分より下方には、前記流下樋を流下した遊技球を弾球遊技機裏面外方へ排出可能な排出口が、前記弾球遊技機裏面側へ屈曲して形成されていることを特徴とする弾球遊技機。
【請求項２】
前記遊技機構成部品として、弾球遊技機に必要な電源を供給する電源基板と、遊技球を払い出す払出装置とが少なくとも設けられ、
前記電源基板が前記流下樋の裏面側に設けられていることを特徴とする請求項１に記載の弾球遊技機。
【請求項３】
前記機構部材には、前記流下樋を流下してきた遊技球を前記流下樋の途中から前記払出装置へ誘導する払出誘導樋と、前記払出装置から払い出された遊技球を流下させる払出樋と、遊技球の流路を前記流下樋の途中から前記払出誘導樋へ切り換え可能な流路切り換え手段とが設けられ、
前記電源基板は、前記払出装置よりも遊技球の下流位置で前記流下樋の裏面側に設けられていることを特徴とする請求項２に記載の弾球遊技機。
【請求項４】
前記遊技枠体は、遊技機本体枠に一側を軸として開閉可能に取り付けられ、
前記電源基板は、前記遊技枠体の前記軸側に配置されて外部の電源と電気配線で接続されていることを特徴とする請求項２または３に記載の弾球遊技機。
【請求項５】
前記機構部材は、前記遊技枠体に一側を軸として開閉可能に取り付けられると共に、前記機構部材の裏面側には前記電源基板とは左右に並んで払出制御基板が設けられていることを特徴とする請求項２から４の何れか一項に記載の弾球遊技機。
【請求項６】
前記排出口は、前記流下樋の下端部における前面側壁面が前記機構部材の遊技機構成部品取付面よりも前面側で弾球遊技機裏面側へ向けられていることによって前記弾球遊技機裏面側へ屈曲していることを特徴とする請求項１から５の何れか一項に記載の弾球遊技機。
【請求項７】
前記機構部材は、前記遊技盤裏面が露出可能な開口部を備える枠体で構成され、
前記排出口は、前記機構部材の下端部に位置することを特徴とする請求項１から６の何れか一項に記載の弾球遊技機。
【発明の詳細な説明】
【技術分野】
【０００１】
本発明は、遊技球を流下させる流下樋を有する機構部材が遊技枠体の裏面側に設けられた弾球遊技機に関する。
【背景技術】
【０００２】
パチンコ遊技機等の弾球遊技機においては、前面に遊技領域を有する遊技盤と、前記遊技盤を収納する遊技枠体と、前記遊技枠体の裏面側に設けられて遊技球を流下させる流路を有する機構部材とを備えるものがある。
【０００３】
前記機構部材は、遊技店における島設備等との関係から、遊技機の奥行き方向の厚みを小さくする必要があり、そのため、制御基板等の遊技機構成部品を左右に並べて機構部材の裏面側に配置したり、遊技機構成部品を遊技球の流路と重ならない位置に配置したりすることが行われている。
【０００４】
しかし、近年の弾球遊技機にあっては、遊技領域に配置される表示装置の大型化等に伴い、それらを制御する制御部品等が多くなったり、制御基板が大型化したりしており、遊技機の厚みを小さくするには、制御部品や制御基板等の遊技機構成部品を遊技球の流路と重なるようにして機構部材に配置せざるを得なかった。そのため、遊技球を遊技機裏面側の島設備等に排出する際に、機構部材裏面の遊技機構成部品が邪魔して遊技球を遊技機の外方へ排出するのが難しくなっていた。
【０００５】
【特許文献１】特開２００１−２０４９３６号公報
【発明の開示】
【発明が解決しようとする課題】
【０００６】
本発明は、前記の点に鑑みなされたものであって、機構部材裏面の遊技機構成部品に邪魔されることなく、遊技球を遊技機裏面側に排出し易い弾球遊技機の提供を目的とするものである。
【課題を解決するための手段】
【０００７】
請求項１の発明は、前面に遊技領域を有する遊技盤と、前記遊技盤を収納する遊技枠体と、前記遊技枠体の裏面側に設けられて遊技球を流下させる流下樋を有する機構部材と、
を備えた弾球遊技機において、前記流下樋の裏面側には前記流下樋の少なくとも一部を覆うように遊技機構成部品が設けられ、前記流下樋の前記遊技機構成部品で覆われた部分は、前記機構部材の前記遊技枠体に対する取付面との距離が遊技球１球分未満とされると共に、前記弾球遊技機の厚み方向に遊技球１球分以上屈曲することなく形成されており、前記流下樋の前記遊技機構成部品で覆われた部分より下方には、前記流下樋を流下した遊技球を弾球遊技機裏面外方へ排出可能な排出口が、前記弾球遊技機裏面側へ屈曲して形成されていることを特徴とする。
【０００８】
請求項２の発明は、請求項１において、前記遊技機構成部品として、弾球遊技機に必要な電源を供給する電源基板と、遊技球を払い出す払出装置とが少なくとも設けられ、
前記電源基板が前記流下樋の裏面側に設けられていることを特徴とする。
【０００９】
請求項３の発明は、請求項２において、前記機構部材には、前記流下樋を流下してきた遊技球を前記流下樋の途中から前記払出装置へ誘導する払出誘導樋と、前記払出装置から払い出された遊技球を流下させる払出樋と、遊技球の流路を前記流下樋の途中から前記払出誘導樋へ切り換え可能な流路切り換え手段とが設けられ、前記電源基板は、前記払出装置よりも遊技球の下流位置で前記流下樋の裏面側に設けられていることを特徴とする。
【００１０】
請求項４の発明は、請求項２または３において、前記遊技枠体は、遊技機本体枠に一側を軸として開閉可能に取り付けられ、前記電源基板は、前記遊技枠体の前記軸側に配置されて外部の電源と電気配線で接続されていることを特徴とする。
【００１１】
請求項５の発明は、請求項２から４の何れか一項において、前記機構部材は、前記遊技枠体に一側を軸として開閉可能に取り付けられると共に、前記機構部材の裏面側には前記電源基板とは左右に並んで払出制御基板が設けられていることを特徴とする。
【００１２】
請求項６の発明は、請求項１から５の何れか一項において、前記排出口は、前記流下樋の下端部における前面側壁面が前記機構部材の遊技機構成部品取付面よりも前面側で弾球遊技機裏面側へ向けられていることによって前記弾球遊技機裏面側へ屈曲していることを特徴とする。
【００１３】
請求項７の発明は、請求項１から６の何れか一項において、前記機構部材は、前記遊技盤裏面が露出可能な開口部を備える枠体で構成され、前記排出口は、前記機構部材の下端部に位置することを特徴とする。
【発明の効果】
【００１４】
請求項１の発明によれば、流下樋の前記遊技機構成部品で覆われた部分は、機構部材の遊技枠体に対する取付面との距離が遊技球１球分未満とされると共に、弾球遊技機の厚み方向に遊技球の１球分以上屈曲することなく形成されていることにより、機構部材の厚みを小さく抑えることができ、しかも、流下樋の遊技機構成部品で覆われた部分より下方には、流下樋を流下した遊技球を弾球遊技機裏面外方へ排出可能な排出口が、弾球遊技機裏面側へ屈曲して形成されていることにより、遊技球を弾球遊技機裏面側の遊技店設備へ排出し易くすることが可能である。
【００１５】
請求項２の発明によれば、電源基板が機構部材における流下樋の裏面側に設けられていることにより、機構部材の遊技機構成部品取付スペースを有効に使用することが可能である。
【００１６】
請求項３の発明によれば、電源基板が払出装置よりも遊技球の下流位置で流下樋の裏面側に設けられていることにより、払出装置に干渉することなく電源基板を機構部材の裏側に配置することが可能である。
【００１７】
請求項４の発明によれば、遊技枠体が遊技機本体枠に一側を軸として開閉可能に取り付けられ、電源基板が遊技枠体の軸側に配置されて外部の電源と電気配線で接続されていることにより、電気配線が遊技枠体の軸側に位置しているので、遊技枠体の開閉時に電気配線が引っ張られて移動する量が少なく、遊技機本体枠と遊技枠体間に挟まれたりする不具合の発生を減らすことが可能である。
【００１８】
請求項５の発明によれば、機構部材が遊技枠体に一側を軸として開閉可能に取り付けられると共に、機構部材の裏面側には電源基板とは左右に並んで払出制御基板が設けられていることにより、弾球遊技機裏面側からの機構部材の脱着を容易にすることが可能である。
【００１９】
請求項６の発明によれば、排出口は、流下樋の前面側壁面が機構部材の遊技機構成部品取付面よりも前面側で弾球遊技機裏面側へ向けられていることによって弾球遊技機裏面側へ屈曲していることにより、排出口が弾球遊技機裏面側へ突出することなく、弾球遊技機の奥行き方向の厚みを小さくすることが可能である。
【００２０】
請求項７の発明によれば、機構部材は遊技盤背面が露出可能な開口部を備える枠体で構成され、排出口は機構部材の下端に位置することにより、遊技機の下部から遊技球を排出することができ、より確実に弾球遊技機裏面側の遊技店設備等に遊技球を排出することが可能である。
【発明を実施するための最良の形態】
【００２１】
以下添付の図面に基づき本発明の好適な実施形態を説明する。図１は本発明の一実施例に係る弾球遊技機を示す正面図、図２は同弾球遊技機の裏面図、図３は同弾球遊技機の分解斜視図である。
【００２２】
図１及び図２に示す本実施例の弾球遊技機１は、遊技媒体として遊技球を用いるパチンコ遊技機であって、図３に示すように、側枠Ｆ１の前側に前枠Ｆ２が左右の何れか一側（本実施例では左側）を軸として開閉可能に取り付けられ、また、前記前枠Ｆ２の前側にガラス枠Ｇが左右の何れか一側（本実施例では左側）を軸として開閉可能に取り付けられている。
【００２３】
前記側枠Ｆ１は、一般的には木枠で構成され、弾球遊技機１の内部の部品等を保護すると共に遊技店の島へ弾球遊技機１を設置可能にするものであり、本発明における遊技機本体枠に相当する。前記側枠Ｆ１における左右の一側（本実施例では左側）の上下には、前記前枠Ｆ２を開閉可能に軸着するための前枠ヒンジ用軸部Ｈ１が設けられている。
【００２４】
前記前枠Ｆ２は中央に窓Ｆ２ａが形成され、前記窓Ｆ２ａを裏側から塞ぐように遊技盤３が取り付けられる。さらに、前記前枠Ｆ２の裏側には、前記遊技盤３の裏側を覆って機構部材Ｋが取り付けられる。前記前枠Ｆ２の左右一側（本実施例では左側）には、前記側枠Ｆ１の前枠ヒンジ用軸部Ｈ１と係止する前枠ヒンジ用軸受け部Ｈ２と、機構部材ヒンジ用軸受け部Ｈ３と、ガラス枠ヒンジ用軸受け部Ｈ５とが設けられている。前記前枠Ｆ２の右下の裏側部分Ｆ２ｂには、図２に示すように発射制御基板１９０が設けられる。前記発射制御基板１９０は、後述の発射装置５３に遊技者の手が接触しているか否かをタッチセンサにより検出して発射装置５３を制御する。なお、前記前枠Ｆ２は、本発明における遊技枠体に相当する。
【００２５】
前記機構部材Ｋは、図２及び図５から図９に示すように、略中央に前記遊技盤３の裏面が露出可能な開口部Ｋ１を有する板状体からなり、左右の一側（本実施例では左側）を軸として開閉可能に前記前枠Ｆ２に取り付けられる。符号Ｈ４は機構部材ヒンジ用軸部であり、前記前枠Ｆ２の機構部材ヒンジ用軸受け部Ｈ３と係止する。また、前記機構部材Ｋの裏側には、弾球遊技機設置島から流れてくる遊技球を受け取って一旦溜めるためのタンク９０、前記タンク９０から下方へ遊技球を誘導するタンクレール９１、前記タンクレール９１から遊技球を下方へ流下させる流下樋２１１、入賞により遊技球を払い出す払出装置１２５、前記流下樋２１１を流下してきた遊技球を前記流下樋２１１の途中から前記払出装置１２５へ誘導する払出誘導樋２３１、遊技球の流路を前記流下樋２１１の途中から前記払出誘導樋２３１へ切り換え可能な流路切り換え手段１１１、前記払出装置１２５から払い出された遊技球を流下させる払出樋２１５を備え、また制御基板として払出制御基板１０５、電源基板１８８、外部端子基板１９１等が設けられる。符号１８９はカードインターフェイス接続部１８９、Ｋ２は前記開口部Ｋ１から露出している遊技盤３の裏側を保護する保護カバーである。
【００２６】
前記流下樋２１１の上部及び前記払出誘導樋２３１は、前記機構部材Ｋの裏面に配設される流路ケース２０１内に設けられている。前記流路ケース２０１は、前記タンクレール９１の下方傾斜部の下端と接続されて前記開口部Ｋ１の左側の縁に沿って下方へ配設されている。前記流路ケース２０１は、流路ケース前側半体２０３と流路ケース裏側半体２０５によって構成される。前記流路ケース前側半体２０３と流路ケース裏側半体２０５の対向する内面には、前記前側流路ケース半体２０３と裏側流路ケース半体２０５の組み合わせにより構成される前記流下樋２１１（以下、上部の流下樋２１１ａとも記す）と、前記払出誘導樋２３１がそれぞれ溝状に形成されている。
【００２７】
前記流路ケース２０１内の流下樋２１１は、図８に示すように、下方へ傾斜した部分に前記払出誘導樋２３１との分岐部２１２が形成されている。前記分岐部２１２は下面に流下樋開口部２１３が形成され、前記流下樋開口部２１３の下方がさらに流下樋２１１となっている。前記分岐部２１２の流下樋開口部２１３は、流路切り換え手段１１１により開閉可能とされ、開状態とされることにより流下樋２１１が分岐部２１２を介して上下に連通し、前記流下樋２１１内を遊技球が分岐部２１２の上方から下方へ流下可能となる。それに対し、前記分岐部２１２の流下樋開口部２１３が前記流路切り換え手段１１１によって閉状態とされることにより、前記分岐部２１２の上方の流下樋２１１と前記払出誘導樋２３１が連通し、前記流下樋２１１を流下する遊技球が分岐部２１２を通って前記払出誘導樋２３１へ流下可能となる。
【００２８】
前記流路切り換え手段１１１は、上下揺動可能な部材からなり、下方揺動により前記流下樋開口部２１３を開いて遊技球を分岐部２１２の下方の流下樋２１１へ流下可能とする。それに対して前記流路切り換え手段１１１の上方揺動によって前記流下樋開口部２１３を閉じ、前記流路切り換え手段１１１の上面を遊技球が通って前記払出誘導樋２３１へ流下可能となる。また、前記流路切り換え手段１１１の下方揺動阻止及び下方揺動許可は、ロック手段１１５によって行われる。前記ロック手段１１５は、前記流路切り換え手段１１１の下側に上向きに配設され、左右揺動によって前記切り換え手段１１１の下方揺動阻止（ロック）と下方揺動許可（ロック解除）の切り換えを行うように構成されている。前記下方揺動許可（ロック解除）状態においては、前記分岐部２１２の上方の流下樋２１１から流下してきた遊技球が前記流路切り換え手段１１１上を通る際、遊技球の重みで前記流路切り換え手段１１１が下方へ揺動して前記分岐部２１２の流下樋開口部２１３が開放され、遊技球が前記分岐部２１２の下方の流下樋２１１へ流下する。それに対して、前記下方揺動阻止（ロック）状態においては、前記分岐部２１２の上方の流下樋２１１から流下してきた遊技球が前記流路切り換え手段１１１上を通る際、遊技球の重みによっても前記流路切り換え手段１１１の下方揺動が阻止されるため、前記分岐部２１２の流下樋開口部２１３が閉鎖された状態で維持され、遊技球が前記分岐部２１２から前記払出誘導樋２３１へ流下する。
【００２９】
前記払出装置１２５は、本発明における遊技機構成部品に相当し、前記払出誘導樋２３１を流下してきた遊技球を受け止めるスプロケットを備え、入賞によって前記スプロケットが一方向へ回転して所定球数の遊技球を下方へ流下させ、払出樋２１５を介して後述の上側球受け皿３６へ排出する。
【００３０】
また、前記機構部材Ｋの裏面側には、図５から図７に示すように、前記流路ケース２０１の流下樋２１１（上部の流下樋２１１ａ）の下部と通じる前記流下樋２１１の下部側（下部の流下樋２１１ｂ）が、溝状に形成されている。前記下部の流下樋２１１ｂが形成される部位は、前記機構部材Ｋの下部裏面側における左右一側（本実施例では、前記機構部材Ｋの開閉軸が存在する左半分側）とされている。前記機構部材Ｋの裏面側において、前記下部の流下樋２１１ｂが溝状に形成された部位は、電源基板取付板２４１が積層される。前記電源基板取付板２４１の積層によって、前記下部の流下樋２１１ｂを構成する溝が機構部材Ｋの裏側から蓋をされて前記下部の流下樋２１１ｂが形成される。前記電源基板取付板２４１の裏面（本発明の遊技機構成部品取付面に相当）２４２には、電源基板１８８が取り付けられ、前記下部の流下樋２１１ｂが前記電源基板１８８で覆われる。前記電源基板１８８は本発明における遊技機構成部品に相当する。
【００３１】
前記下部の流下樋２１１ｂにおいて、前記電源基板１８８で覆われた部分（すなわち前記電源基板取付板２４１で覆われた部分）は、図９に示すように、前記機構部材Ｋの前記前枠Ｆ２に対する取付面（すなわち前記機構部材Ｋの前面）Ｋ３との距離が遊技球１球分未満とされている。なお、前記下部の流下樋２１１ｂにおいて、前記機構部材Ｋの前記前枠Ｆ２に対する取付面（前記機構部材Ｋの前面）Ｋ３との距離は、前記下部の流下樋２１１ｂにおいて弾球遊技機前面側壁面との距離であり、本実施例では、遊技球１球分未満である５ｍｍ程度（壁面厚）とされている。また、前記下部の流下樋２１１ｂにおいて、前記電源基板１８８で覆われた部分（前記電源基板取付板２４１で覆われた部分）は、弾球遊技機１の厚み方向Ｄに遊技球の１球分以上屈曲することなく形成されている。なお、本実施例では、前記下部の流下樋２１１ｂにおいて、前記電源基板１８８で覆われた部分（前記電源基板取付板２４１で覆われた部分）は、弾球遊技機１の厚み方向Ｄに殆ど屈曲することなく形成されている。また、本実施例では、前記払出樋２１５において、前記電源基板１８８で覆われる部分についても、前記機構部材Ｋの前枠Ｆ２に対する取付面（前記機構部材Ｋの前面）Ｋ３との距離が遊技球１球分未満とされると共に、弾球遊技機１の厚み方向Ｄに殆ど屈曲することなく形成されている。前記機構部材Ｋの前枠（遊技枠体に相当する）Ｆ２に対する取付面Ｋ３との距離が遊技球１球分未満で構成されていることにより、遊技球２球分が流下可能な遊技球２条の流下樋よりも機構部材Ｋの厚みを薄く構成することができる。また、前記流下樋において、遊技機構成部品に覆われた部分の屈曲を弾球遊技機の厚み方向に遊技球球１球分以上とならないようにすることで、流下樋を遊技機構成部品の取付面側へ突出することなく構成することができ、遊技球２条分の流下樋と比較しても機構部材Ｋを薄く構成することができ、遊技機構成部品取付面が遊技機背面側に突出するのを抑えて構成することができる。また、本実施例のように遊技機構成部品で覆われた流下樋の部分を、遊技機構成部品側（遊技機背面側）へ屈曲することなく構成することで、機構部材Ｋの厚みを一層抑えることができ、遊技機構成部品取付面の背面側への突出を抑えることができるのでより好ましい。
【００３２】
また、前記下部の流下樋２１１ｂにおいて前記電源基板１８８で覆われた部分より下方には、前記流下樋２１１（上部の流下樋２１１ａと下部の流下樋２１１ｂ）を流下してきた遊技球を弾球遊技機１の裏面外方へ排出可能な排出口２１７が弾球遊技機１の裏面側へ屈曲して形成されている。本実施例では、前記排出口２１７は、前記機構部材Ｋの下端部に位置している。また、前記排出口２１７は、前記流下樋２１１の下端部（すなわち前記下部の流下樋２１１ｂの下端部）における前面側壁面（弾球遊技機前面側壁面）２１８が、前記電気基板取付板２４１の裏面２４２（本発明における遊技機構成部品取付面に相当）よりも前面側で弾球遊技機裏面側へ向けられており、これによって前記下部の流下樋２１１ｂにおける下端部を弾球遊技機１の厚み方向へ殆ど屈曲させることなく、かつ前記機構部材Ｋの厚みを増大させることなく、遊技球を弾球遊技機１の裏面外方へ排出可能にしている。
【００３３】
前記電源基板１８８は弾球遊技機１に必要な電源を供給するためのものであり、前記前枠（遊技機枠体）Ｆ２の軸側における前記機構部材Ｋの下部裏側左半分に配置されて、図２に示すように、外部の電源と電気配線（電源コード）Ｃで接続されている。そのため、前記前枠（遊技機枠体）Ｆ２の回動開閉時に電気配線Ｃが前枠Ｆ２の開閉を妨げたり、前枠Ｆ２と機構部材Ｋの間に挟まったりするおそれを低減することができる。また、前記電源基板１８８は、バックアップのためのコンデンサなどの大型電気部品が多く搭載されており、弾球遊技機に搭載した場合に弾球遊技機の裏面側に突出する量が他の基板よりも大きくなりやすい。さらに、前記表示装置９の大型化に伴い、前記電源基板１８８に搭載されるコンデンサの容量等も大型化している。さらにまた、弾球遊技機が取り付けられる遊技店の島設備は、弾球遊技機の裏面同士が対面して固定されるものが多いため、弾球遊技機の裏面同士が接触するおそれがある。しかし、本実施例の弾球遊技機１の構成によれば、前記電源基板１８１の取付部分において前記機構部材Ｋの厚みを薄くすることができ、前記電源基板１８８が弾球遊技機１の裏側へ突出する量を少なくすることが可能である。さらに、前記流下樋２１１における下端部の排出口２１７が弾球遊技機１の裏面側に向いていることにより、実際の島設備への遊技球排出位置に遊技球を誘導して排出することが可能である。
【００３４】
また、前記機構部材Ｋの下部裏側には、前記電源基板１８８とは左右に並んで払出制御基板１０５が設けられる。本実施例では前記電源基板１８８の右側に前記払出制御基板１０５が設けられている。前記払出制御基板１０５は、前記払出装置１２５による遊技球の払出を制御する。
【００３５】
前記遊技盤３は、図１に示すように前面に遊技領域６を備える。また、前記遊技盤３における前面の縁には、遊技球のガイドレール５が略円形に立設され、前記ガイドレール５によって囲まれた部分が前記遊技領域６となっている。前記遊技領域６には、その中心線上に上部から下部に向かって順に表示装置９、始動入賞口１０、特別電動役物である大入賞口１５、アウト口１７が配設されている。また前記表示装置９の左側には普通図柄変動開始用ゲート１９と、その下方に風車２０が配設されている。さらに、前記表示装置９の下側には左右に左袖入賞口２３と右袖入賞口２５が配設され、また前記大入賞口１５の両側に左落とし入賞口２７と右落とし入賞口２９が配設されている。各入賞口および普通図柄変動開始用ゲート１９には、入賞（入球）した遊技球を検出する入賞検出センサが設けられている。なお、前記表示装置９は、文字又は図柄の少なくとも何れかを表示可能なものであって、液晶，ドットマトリックス若しくはＬＥＤ表示装置等の表示装置からなり、この実施例では、液晶表示器（ＴＦＴ−ＬＣＤモジュール）で構成され、左下に普通図柄表示部４５が組み込まれ、その他の大部分が特別図柄表示部４２となっている。また、前記表示装置９が設けられた遊技盤３の裏側には、図４に示すように、主制御基板１００、表示制御基板１０１、音声・ランプ制御基板１０３が設けられる。
【００３６】
前記主制御基板１００は、遊技の当否判定や副制御基板に対する制御等、遊技の主な制御を行う。前記主制御基板１００は、ＣＰＵ，ＲＡＭ，ＲＯＭ，複数のカウンタを備えたコンピュータと、該コンピュータと音声・ランプ制御基板１０３、前記払出制御基板１０５等を結ぶ入出力回路と、前記コンピュータと前記大入賞口１５に接続される中継基板等を結ぶ入出力回路等で構成される。前記ＣＰＵは、制御部，演算部，各種カウンタ，各種レジスタ，各種フラグ等を備え、演算制御を行う他、遊技における大当たりの発生や小当たりの発生のための乱数等も生成している。また、前記ＲＡＭは、各種検出信号用の記憶領域、ＣＰＵで生成される各種乱数値用の記憶領域、各種データを一時的に記憶する記憶領域やフラグ、ＣＰＵの作業領域を備える。さらに、前記ＲＯＭには、遊技上の制御プログラムや制御データ等が書き込まれている他、遊技における大当たり及び小当たりの判定値等が書き込まれている。
【００３７】
それに対して、前記表示制御基板１０１は前記表示装置９の制御を行い、また音声・ランプ制御基板１０３は、後述のランプ装置３５及びスピーカ３８を制御する。前記表示制御基板１０１、音声・ランプ制御基板１０３等は、ＣＰＵ、ＲＯＭ、ＲＡＭを備える。
【００３８】
前記ガラス枠Ｇは、図３に示すように、中央に窓部Ｇ２の形成されたガラス枠本体Ｇ１と、前記窓部Ｇ２を覆うように配設されたガラスＧ３とで構成されている。前記窓部Ｇ２を介して前記遊技盤３の遊技領域６が透視される。前記ガラス枠Ｇの左右一側（本実施例では左側）には、前記前枠Ｆ２のガラス枠ヒンジ用軸受け部Ｈ５に係止するガラス枠用軸部Ｈ６が形成されている。前記ガラス枠Ｇの前面側には、図１に示すように、上部にスピーカ３８が配設され、前記窓部Ｇ２の周囲にランプ装置３５が配設されている。さらに前記ガラス枠Ｇの前面側における下部には、払い出された遊技球を受けるための上側球受け皿３６、該上側球受け皿３６の飽和時に遊技球を受けるための下側球受け皿３７、遊技者の発射操作に応じて遊技球を遊技領域６に向けて弾発発射する発射装置５３、遊技者の操作により遊技を変化させる押しボタン式の操作装置５５が配設されている。符号５４は発射装置５３の操作レバーである。
【００３９】
前記弾球遊技機１は、前記遊技領域６へ向けて前記発射装置５３により遊技球が発射されて、前記種々の入賞口に入賞すると、入賞口に応じた所定数の遊技球が賞球として、前記払出装置１２５により払い出され、前記払出樋２１５（図５から図７に示す）を通って弾球遊技機前面側の上側球受け皿３６に払い出される。このとき、前記流路切り換え手段１１１（図８に示す）は、前記ロック手段１１５によりロックされて下方への揺動が阻止され、前記流路ケース２０１の分岐部２１２より上方の流下樋２１１を流下してくる遊技球を、前記払出誘導樋２３１から前記払出装置１２５へ誘導可能としている。
【００４０】
また、前記普通図柄変動開始用ゲート１９を遊技球が通過すると、小当たり判定・普通図柄決定用乱数値が取得され、その取得乱数値に基づいて普通図柄の当たり（小当たり）判定が行われ、前記普通図柄表示部４５で普通図柄が変動を開始し、所定時間変動後に停止する。その際、前記普通図柄の当たり判定結果が小当たりの場合には、小当たり普通図柄、この例では奇数で停止し、前記始動入賞口１０の２つの可動片１０ａ，１０ｂが背面の始動入賞口用ソレノイドによって略垂直で入賞し難い狭小開放状態（通常状態）から略Ｖ字形（逆ハの字形）の入賞（入球）し易い拡開開放状態に変化し、遊技球が入賞し易くなる。そして、前記始動入賞口１０に遊技球が入賞（入球）すると、所定数の遊技球が賞球として前記払出装置１２５により払い出される。
【００４１】
また、前記始動入賞口１０に遊技球が入賞すると、大当たり当否判定用乱数値及び大当たり確定特別図柄の組合せ決定用乱数値が取得され、前記取得された大当たり当否判定用乱数値に基づいて大当たりの当否判定が行われ、前記特別図柄表示部４２で特別図柄が変動を開始し、所定時間変動後に停止する。
【００４２】
前記大当たりの当否判定結果が大当たりの場合には、前記特別図柄表示装置９に大当たり確定特別図柄組合せ、この例では『１，１，１』（いわゆる‘１’のぞろ目）や『２，２，２』（いわゆる‘２’のぞろ目）等、同一数字の組合せ）で停止表示され、遊技者に有利な特別遊技（大当たり遊技）に移行する。前記特別遊技状態になると、前記大入賞口１５の開閉板１６が開いて遊技領域６の表面を落下してくる遊技球を受け止め易くして、大入賞口１５へ入賞可能にし、該大入賞口１５への入賞があると、所定数の遊技球が賞球として前記払出装置１２５により払い出される。前記開閉板１６は、所定時間経過後、或いは入賞球数が所定個数となった時点で閉じるようにされている。また、前記大入賞口１５の開放中又は大入賞口１５が閉じてから約２秒以内に、大入賞口内の特定領域入賞口１５ａへの入賞球が検出されると、前記大当たりを再度繰り返す継続権利が発生し、所定最高回数（例えば最高１６回）、前記開閉板１６の開放を繰り返すようになっている。
【００４３】
一方、前記弾球遊技機１から遊技球を外部へ排出する場合には、前記流路切り換え手段１１１を前記ロック手段１１５によってロック解除し、下方揺動許可する。これにより、前記流路ケース２０１の分岐部２１２より上方から前記流下樋２１１を流下してくる遊技球が、前記流下樋２１１の下部（前記下部の流下樋２１１ｂ）を通って、前記機構部材Ｋの下端部の前記排出口２１７から弾球遊技機１の裏面外方へ排出される。
【００４４】
本発明は上記の構成としたことにより、機構部材の厚みを小さく抑えることができ、しかも、流下樋の遊技機構成部品で覆われた部分より下方には、流下樋を流下した遊技球を遊技機裏面外方へ排出可能な排出口が遊技機裏面側へ屈曲して形成されていることにより、遊技球を遊技機裏面側の遊技店設備へ排出し易くすることができる。
【００４５】
なお、本発明は、前記実施例に限定されるものではなく、本発明の趣旨を逸脱しない範囲で変更可能である。例えば、機構部材に取り付けられる遊技機構成部品は、本実施例では、電源基板と払出装置とされているが、機構部材に取り付けられるものであれば、特に限定されるものではない。
【００４６】
また、本実施例では、最良の形態として排出口が電源基板取付面から弾球遊技機の裏側へ突出しないように構成したが、突出する構成とした場合でも、本発明の効果を満たすことが可能である。
【図面の簡単な説明】
【００４７】
【図１】本発明の一実施例に係る弾球遊技機全体を示す正面図である。
【図２】同弾球遊技機の裏面図である。
【図３】同弾球遊技機の分解斜視図である。
【図４】同弾球遊技機における遊技盤の裏面図である。
【図５】同弾球遊技機における機構部材について各部品取付前の裏面図である。
【図６】同弾球遊技機における機構部材と各部品を示す裏側斜視図である。
【図７】同弾球遊技機に流路ケース前側半体を取り付けた状態の裏面図である。
【図８】図７の一部を拡大して示す図である。
【図９】同弾球遊技機に各部品を取り付けた状態の裏面図及びＡ−Ａ断面図である。
【符号の説明】
【００４８】
１  弾球遊技機
３  遊技盤
６  遊技領域
９  表示装置
５３  発射装置
１０５  払出制御基板
１１１  流路切り換え手段
１２５  払出装置
１８８  電源基板
２０１  流路ケース
２０３  流路ケース前側半体
２０５  流路ケース裏側半体
２１１  流下樋
２１１ａ  上部の流下樋
２１１ｂ  下部の流下樋
２１５  払出樋
２１７  流下樋下端部の排出口
２１８  流下樋下端部における前面側壁面
２３１  払出誘導樋
２４１  電気基板取付板
２４２  電源基板取付板の裏面（遊技機構成部品取付面）
Ｃ  電気配線
Ｆ１  側枠（遊技機本体枠）
Ｆ２  前枠（遊技枠体）
Ｋ  機構部材
Ｋ１  機構部材の開口部
Ｋ３  機構部材の前枠Ｆ２に対する取付面
【図１】
2007202616.tif 000003
【図２】
2007202616.tif 000004
【図３】
2007202616.tif 000005
【図４】
2007202616.tif 000006
【図５】
2007202616.tif 000007
【図６】
2007202616.tif 000008
【図７】
2007202616.tif 000009
【図８】
2007202616.tif 000010
【図９】
2007202616.tif 000011